(57)【要約】【課題】この発明は、簡便にして容易に安定した高精度な切換操作を実現したうえで、組立て作業性の向上を図り得るようにすることにある。【解決手段】釦本体１４のスイッチ操作部１４１の周囲に操作量を規制する第１の規制部１４２、その操作位置における傾き角を規制するの第２の規制部１４３、スイッチ１２に対する初期位置に押圧操作自在に位置規制する第３の規制部１４７、及び釦本体１４をスイッチ操作位置から初期位置に復帰させる付勢力を付与する弾性変形部１４６を釦本体１４に形成して、この釦本体１４を印刷配線板１１に搭載されたスイッチ１２に押圧操作自在に組付け配置するように構成した。【選択図】    図１
2004253171.tif 000002
【特許請求の範囲】
【請求項１】
スイッチに対向して押圧操作自在に配される前記スイッチを切り換えるスイッチ操作部が形成された釦本体と、
この釦本体のスイッチ操作部の周囲に形成され、前記釦本体の操作量を規制する複数の第１の規制部と、
前記釦本体のスイッチ操作部の周囲に形成され、前記釦本体の操作位置における傾き角を規制する複数の第２の規制部と、
前記釦本体を前記スイッチに対する初期位置に押圧操作自在に位置規制する複数の第３の規制部と、
この複数の第３の規制部を前記釦本体に弾性変形自在に支持するものであって、前記釦本体をスイッチ操作位置から前記初期位置に復帰させる付勢力を付与する弾性復帰部と
を具備することを特徴とする押し釦装置。
【請求項２】
前記スイッチ操作部は、操作面が略球面形状に形成されることを特徴とする請求項１記載の押し釦装置。
【請求項３】
さらに、前記釦本体に取付方向を規制する逆取付防止部が形成されることを特徴とする請求項１又は２記載の押し釦装置。
【請求項４】
前記弾性復帰部は、前記スイッチ操作部の周囲に複数の弾性変形部が設けられることを特徴とする請求項１乃至３のいずれか記載の押し釦装置。
【発明の詳細な説明】
【０００１】
【発明の属する技術分野】
この発明は、例えば入院患者等の被介護人が看護師を呼んだりするのに用いられるナースコール装置等の電子機器に用いられる押し釦装置に関する。
【０００２】
【従来の技術】
一般に、この種の押し釦装置は、ケースに対してフレーム部材を取付けて、フレーム部材には、スイッチの作動部が連結される。そして、上記フレーム部材には、押し釦が、ケースの外部側より押圧操作可能に組み合わされる（特許文献１参照。）。
【０００３】
上記構成により、押し釦は、ケースから突出された先端部が押圧されると、フレーム部材が、その弾性力に抗して押圧されてスイッチの作動部を動作させる。そして、押し釦は、その押圧操作が解除されると、フレーム部材の復帰力により、初期位置に復帰され、ここに、スイッチの作動部の動作が解除される。
【０００４】
ところが、上記押し釦装置では、その構造上、押し釦の押圧操作時、力を入れすぎて、押し込み量が多すぎると、スイッチの作動部を破損したり、その押圧操作方向によっては、スイッチが動作しなかったりする虞を有し、その切換操作性が劣るという不具合を有する。
【０００５】
また、これによると、複数の構成部品で構成されるために、その組立て作業が非常に面倒であるという問題も有する。
【０００６】
【特許文献１】
実開平５―５０６３０号公報
【０００７】
【発明が解決しようとする課題】
以上述べたように、従来の押し釦装置では、その切換操作性が劣り、しかも、組立て作業が面倒であるという不都合を有する。
【０００８】
この発明は上記の事情に鑑みてなされたもので、簡便にして容易に安定した高精度な切換操作を実現し得、且つ、組立て作業性の向上を図り得るようにした押し釦装置を提供することを目的とする。
【０００９】
【課題を解決するための手段】
この発明は、スイッチに対向して押圧操作自在に配される前記スイッチを切り換えるスイッチ操作部が形成された釦本体と、この釦本体のスイッチ操作部の周囲に形成され、前記釦本体の操作量を規制する複数の第１の規制部と、前記釦本体のスイッチ操作部の周囲に形成され、前記釦本体の操作位置における傾き角を規制する複数の第２の規制部と、前記釦本体を前記スイッチに対する初期位置に押圧操作自在に位置規制する複数の第３の規制部と、この複数の第３の規制部を前記釦本体に弾性変形自在に支持するものであって、前記釦本体をスイッチ操作位置から前記初期位置に復帰させる付勢力を付与する弾性復帰部とを備えて押し釦装置を構成した。
【００１０】
上記構成によれば、釦本体は、第１の規制部により、操作量が規制され、第２の規制部により、操作位置における傾き角が規制され、第３の規制部により、スイッチに対する初期位置が規制されることにより、そのスイッチ操作部による高精度なスイッチ切換操作を実現する。そして、釦本体は、操作位置において、押圧操作が解除されると、第３の規制部及び弾性復帰部により、協働して初期位置に押圧操作自在に復帰される。従って、釦本体を、スイッチに対向配置させて組付けるだけの簡単な組立て作業を実現したうえで、信頼性の高い高精度なスイッチ切換操作を実現することができる。
【００１１】
また、この発明は、前記スイッチ操作部を、操作面を略球面形状に形成するように構成した。これによれば、釦本体の押圧操作に連動して、スイッチ操作部は、スイッチに対して点接触することにより、高精度なスイッチ切換操作が可能となる。
【００１２】
また、この発明は、さらに、前記釦本体に取付方向を規制する逆取付防止部を設けて構成した。これによれば、逆取付防止部の作用により、釦本体は、所望の向きに正確に取付けることが可能となり、組立て作業性の向上が図れる。
【００１３】
また、この発明は、前記弾性復帰部を、前記スイッチ操作部の周囲に複数の弾性変形部を設けて構成した。これによれば、釦本体は、操作位置において、複数の弾性変形部により、均一的に付勢力が付与されて所望の姿勢を保ちつつ初期位置に復帰される。
【００１４】
【発明の実施の形態】
以下、この発明の実施の形態について、図面を参照して詳細に説明する。
【００１５】
図１は、この発明の一実施の形態に係る押し釦装置を示すもので、機器本体１０は、例えばナースコール装置を構成し、その内部には、印刷配線板１１が内装される。この印刷配線板１１には、例えばタクトスイッチと称するスイッチ１２が搭載され、このスイッチ１２を介して実装された電子回路が、選択的に切換設定される。
【００１６】
上記機器本体１０には、カバー部材１３が被着される。このカバー部材１３には、釦取付孔１３１が上記印刷配線板１１のスイッチ１２に対向して設けられ、この釦取付孔１３１には、釦本体１４が押圧操作自在に挿着される。ここで、釦本体１４は、その周縁部が釦取付孔１３１の周縁部に対向されて離脱が防止される。
【００１７】
釦本体１４は、例えばＡＢＳ樹脂等の樹脂材料を用いて図２及び図３に示すように直方体形状をした有底筒状に樹脂成形されて形成され、その開口側の周縁部に鍔部１４０が形成される。この鍔部１４０は、上記カバー部材１３の釦取付孔１３１の周縁の内壁に対向され、釦本体１４のカバー部材１３の釦取付孔１３１からの離脱を阻止する。
【００１８】
上記釦本体１４には、その底面にスイッチ操作部１４１が上記スイッチ１２の被操作部１２１に対応して突出されて設けられる。このスイッチ操作部１４１は、そのスイッチ接触面が略球形状に形成され、例えば図４に示すようにスイッチ１２の被操作部１２１に対して、若干、傾斜されて当接した場合においても、該被操作部１２１に対して点接触される。
【００１９】
これにより、スイッチ１２は、その被操作部１２１の安定した高精度な切換操作が行われる。例えばタクトスイッチ構造の場合には、スイッチ操作部１４１がスイッチ１２の被操作部１２１を軸方向に対して斜め横から押したりすると、破損したりする虞があるが、略球形状のスイッチ操作部１４１が点接触されることにより、その破損を効果的に防止することができる。
【００２０】
また、釦本体１４の底面には、スイッチ操作部１４１の周囲に複数、例えば該スイッチ操作部１４１を挟んで２箇所、操作量規制用の第１の規制部１４２が、スイッチ操作部方向（押圧操作方向）に突出して設けられる。
【００２１】
さらに、釦本体１４の開口側先端部には、複数、例えば四隅角部の４箇所に傾き角規制用の第２の規制部１４３がスイッチ操作部方向（押圧操作方向）に突出されて設けられる。この第２の規制部１４３は、例えば図５に示すように釦本体１４の押圧位置が、一方側に偏ってしまったような場合に、選択的に印刷配線板１１上に当接して傾き角を所望の角度に規制する。
【００２２】
また、釦本体１４の開口側端部の対向する二辺には、その略中央部に取付部１４４が、それぞれ上記スイッチ操作部方向（押圧操作方向）に突出されて設けられる。そして、この取付部１４４間には、例えば略長方形形状の枠状部１４５の長辺の略中央部が連結される。
【００２３】
枠状部１４５には、例えば上記取付部１４４の両端部の計、４箇所に弾性復帰部を構成する略湾曲形状の弾性変形部１４６がそれぞれ設けられ、その四隅角部にそれぞれ初期位置規制用の第３の規制部１４７が、上記スイッチ操作部方向（押圧操作方向）に突出して形成される。この第３の規制部１４７は、釦本体１４の初期位置において、上記弾性変形部１４６の作用により上記印刷配線板１１上に弾性を有して当接されて、該釦本体１４を、押圧操作可能な初期位置に位置決めする。
【００２４】
また、上記釦本体１４には、組立て方向を規制する逆取付防止部を構成する逆取付防止リブ１４８が、その底面の外壁に設けられる表示部１４９に対応して形成される。
【００２５】
逆取付防止リブ１４８は、例えば上記カバー部材１３の釦取付孔１３１に設けられる図示しない溝部に対応されて、該溝部（図示せず）に収容される。これにより、釦本体１４は、上記表示部１４９が所望の方向に向いた状態で、釦本体１４が機器本体１０内に取付配置される。
【００２６】
上記構成において、釦本体１４は、そのスイッチ操作部１４１を機器本体１０内に収容された印刷配線板１１のスイッチ１２に対向させて載置する。この状態で、機器本体１０上には、カバー部材１３が、その釦取付孔１３１に釦本体１４が挿通されて被着される。この際、釦本体１４は、その逆取付防止リブ１４８がカバー部材１３の釦取付孔１３１の溝部（図示せず）に挿入されるように取付向きを調整して、その表示部１４９がカバー部材１３に対する正規の向きに取付けられる。
【００２７】
この組立て状態において、釦本体１４は、その鍔部１４０がカバー部材１３の釦取付孔１３１の周縁の内壁に対向されて、該釦取付孔１３１からの離脱が防止された状態で、その枠状部１４５の第３の規制部１４７が、印刷配線板１１上に弾性変形部１４６の作用により弾性を有して当接されて、その押圧操作可能な初期位置に位置規制される。
【００２８】
そして、釦本体１４は、押圧操作されると、枠状部１４５の弾性変形部１４６の付勢力に抗して押し込まれて、スイッチ操作部１４１がスイッチ１２の被操作部１２１を押圧操作する。この際、釦本体１４は、その第１の規制部１４２が印刷配線板１１上に当接されて、スイッチ操作部１４１の操作量が所望の値に設定され、その第２の規制部１４３が、印刷配線板１１上に当接して操作位置における傾き角が所望の値に設定される。
【００２９】
上記釦本体１４のスイッチ操作部１４１は、上述したようにスイッチ１２の被操作部１２１に対して点接触で当接されて、該スイッチ１２の被操作部１２１を、確実に切換設定する。
【００３０】
この操作位置において、釦本体１４は、その第３の規制部１４７が印刷配線板１１上に当接されることにより、枠状部１４５の弾性変形部１４６が変形され、該弾性変形部１４６及び第３の規制部１４７を介して復帰方向に付勢力が付与される。これにより、釦本体１４は、その押圧操作が解放されると、枠状部１４５の弾性変形部１４６及び第３の規制部１４７により、押圧操作可能な初期位置に復帰される。
【００３１】
このように、上記押し釦装置は、釦本体１４のスイッチ操作部１４１の周囲に操作量を規制する第１の規制部１４２、その操作位置における傾き角を規制するの第２の規制部１４３、スイッチ１２に対する初期位置に押圧操作自在に位置規制する第３の規制部１４７、及び釦本体１４をスイッチ操作位置から初期位置に復帰させる付勢力を付与する弾性変形部１４６を釦本体１４に形成して、この釦本体１４を印刷配線板１１に搭載されたスイッチ１２に押圧操作自在に組付け配置するように構成した。
【００３２】
これによれば、釦本体１４は、その第１の規制部１４２により、操作量が規制され、その第２の規制部１４３により、操作位置における傾き角が規制され、その第３の規制部１４７により、スイッチ１２に対する初期位置が規制されることにより、そのスイッチ操作部１４１による高精度なスイッチ切換操作が実現される。そして、釦本体１４は、操作位置において、その押圧操作が解除されると、第３の規制部１４７及び弾性変形部１４６により、協働して初期位置に復帰される。
【００３３】
これにより、釦本体１４を、スイッチ１２に対向させて組付け配置するだけの簡単な組立て作業が実現され、しかも、信頼性の高い高精度なスイッチ切換操作が実現される。
【００３４】
なお、上記実施の形態では、第１の規制部１４２を２箇所、第２の規制部１４３を４箇所、第３の規制部１４７を４箇所、弾性変形部１４６を４箇所、釦本体に設けるように構成した場合で説明したが、この数に限ることなく、第１の規制部１４２を２箇所以上の複数箇所、第２の規制部１４３を２箇所以上の複数箇所、第３の規制部１４７を２箇所以上の複数箇所、弾性変形部１４６を複数箇所に設けるように構成することも可能である。
【００３５】
また、上記実施の形態では、釦本体１４を略直方体形状をした有底筒状に形成して構成した場合について説明したが、この形状構造に限ることなく、その他、各種の形状の釦本体においても適用可能である。
【００３６】
よって、この発明は、上記実施の形態に限ることなく、その他、実施段階ではその要旨を逸脱しない範囲で種々の変形を実施し得ることが可能である。さらに、上記実施形態には、種々の段階の発明が含まれており、開示される複数の構成要件における適宜な組合せにより種々の発明が抽出され得る。
【００３７】
例えば実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【００３８】
【発明の効果】
以上詳述したように、この発明によれば、簡便にして容易に安定した高精度な切換操作を実現し得、且つ、組立て作業性の向上を図り得るようにした押し釦装置を提供することができる。
【図面の簡単な説明】
【図１】この発明の一実施の形態に係る押し釦装置を示した一部断面図である。
【図２】図１の釦本体を、機器本体から取り出して押圧操作側より見た状態を示した斜視図である。
【図３】図１の釦本体を、機器本体から取り出して機器本体側より見た状態を示した斜視図である。
【図４】図１の釦本体のスイッチ操作部とスイッチの被操作部との関係を示した図である。
【図５】図１の釦本体を一方方向に偏った位置より押圧操作した状態を示した一部断面図である。
【符号の説明】
１０  …  機器本体
１１  …  印刷配線基板
１２  …  スイッチ
１２１  …  被操作部
１３  …  カバー部材
１３１  …  釦取付孔
１４  …  釦本体
１４０  …  鍔部
１４１  …  スイッチ操作部
１４２  …  第１の規制部
１４３  …  第２の規制部
１４４  …  取付部
１４５  …  枠状部
１４６  …  弾性変形部
１４７  …  第３の規制部
１４８  …  逆取付防止リブ
１４９  …  表示部
【図１】
2004253171.tif 000003
【図２】
2004253171.tif 000004
【図３】
2004253171.tif 000005
【図４】
2004253171.tif 000006
【図５】
2004253171.tif 000007